(57)【要約】【課題】把手ケースの先端部から突出した棒状カッターの刃先部で絶縁被覆Ｂに切り込みを入れた位置を使用者に見え易くすることによって、ケーブルや電線等の線材の廻りに直角にして把手ケースを回転させることができるようにし、絶縁被覆の切り始めと切り終わりを一致させ易くして、絶縁被覆をケーブルや電線等の線材から剥がし易くしたケーブルストリッパーを提供する。【解決手段】横長の把手ケース１の内部に、この把手ケース１の先端部１ａから刃先部２ａを出没自在とした棒状カッター２が設けられ、この棒状カッター２の刃先部２ａの前方に、バネ付勢に反して前記把手ケース１の先端部から離間自在としたフック部４を有するホルダー５を備えたものとし、前記ホルダー５のフック部４は、先端部が屈曲状に形成され、その上側面４ａ又は下側面４ｂに覗き孔６を設けたものとしている。【選択図】図１
2013233041.tif 000002
【特許請求の範囲】
【請求項１】
横長の把手ケース（１）の内部に、この把手ケース（１）の先端部（１ａ）から刃先部（２ａ）を出没自在とした棒状カッター（２）が設けられ、この棒状カッター（２）の刃先部（２ａ）の前方に、バネ付勢に反して前記把手ケース（１）の先端部から離間自在としたフック部（４）を有するホルダー（５）を備えたものとし、前記ホルダー（５）のフック部（４）は、先端部が屈曲状に形成され、その上側面（４ａ）又は下側面（４ｂ）に覗き孔（６）を設けたことを特徴とするケーブルストリッパー。
【請求項２】
前記覗き孔（６）を円形又は楕円形とし、この覗き孔（６）の上下に引き出した直線（Ｌ）を、前記ホルダー（５）のフック部（４）に保持される線材（Ｗ）と直角になるようにしたことを特徴とする請求項１記載のケーブルストリッパー。
【請求項３】
前記覗き孔（６）を多角形とし、この覗き孔（６）の上下に引き出した直線（Ｌ）を、前記ホルダー（５）のフック部（４）に保持される線材（Ｗ）と直角になるようにしたことを特徴とする請求項１記載のケーブルストリッパー。
【発明の詳細な説明】
【技術分野】
【０００１】
この発明は、ケーブルや電線等の線材における絶縁被覆を剥離させるためのケーブルストリッパーに関するものである。
【背景技術】
【０００２】
従来、この種のケーブルストリッパーとしては、例えば図１２、１３に示したように、二分割体とした横長の把手ケース１１の内部に、この把手ケース１１の先端部１１ａから刃先部１２ａを出没自在とした棒状カッター１２が設けられている。さらに、この棒状カッター１２の刃先部１２ａの前方に、把手ケース１１の内部に収納されたコイルスプリングのバネ付勢に反して、把手ケース１１の先端部１１ａから離間自在としたフック部１３を有するホルダー１４を把手ケース１１にスライド自在として備えたものが存在する（非特許文献１）。
【０００３】
この従来のケーブルストリッパーを用いて、ケーブルや電線等の線材Ｗにおける絶縁被覆Ｂを剥離させるには、ホルダー１４のフック部１３を、バネ付勢に反する方向に指で押し出し、ホルダー１４をスライドさせて、フック部１３を把手ケース１１の先端部１１ａから離間させ、このフック部１３と把手ケース１１の先端部１１ａとの間に線材Ｗを保持させる。そこで、前記把手ケース１１を線材Ｗの廻りに回転させて、この線材Ｗの絶縁被覆Ｂの全周に、把手ケース１１の先端部１１ａから突出した棒状カッター１２の刃先部１２ａで切り込みを入れる。そして、その切り込みから絶縁被覆Ｂを、線材Ｗの長さ方向に引くことにより、絶縁被覆Ｂが線材Ｗら剥がされ、取り除かれる。
【先行技術文献】
【特許文献】
【０００４】
【非特許文献１】ジェフコム株式会社の総合カタログ２０１１〜１２ Vol.21 総合版のＡ−０８８ページ
【発明の概要】
【発明が解決しようとする課題】
【０００５】
上記従来のケーブルストリッパーは、ホルダー１４をスライドさせて、把手ケース１１の先端部１１ａからのフック部１３の離間距離を簡単に変更させることにより、種々の径寸法のケーブルや電線等の線材Ｗに対応することができるので、汎用性に優れている。
【０００６】
しかしながら、従来のケーブルストリッパーでは、把手ケース１１を線材Ｗの廻りに回転させる場合に、この把手ケース１１の先端部１１ａから突出した棒状カッター１２の刃先部１２ａとその切り込み位置が使用者には見えにくいため、線材Ｗの廻りに直角にして把手ケース１１を回転させるのが難しく、絶縁被覆Ｂに切り込みが螺旋状に入って、切り始めと切り終わりが一致しなくなり、何回も回転させる必要があり、絶縁被覆Ｂが線材Ｗから剥がしにくいという問題点を有していた。
【０００７】
そこで、この発明は、上記従来の問題点を解決することをその課題としており、把手ケースの先端部から突出した棒状カッターの刃先部で絶縁被覆Ｂに切り込みを入れた位置を使用者に見え易くすることによって、ケーブルや電線等の線材の廻りに直角にして把手ケースを回転させることができるようにし、絶縁被覆の切り始めと切り終わりを一致させ易くして、絶縁被覆をケーブルや電線等の線材から剥がし易くしたケーブルストリッパーを提供することを目的としてなされたものである。
【課題を解決するための手段】
【０００８】
この発明のケーブルストリッパーは、横長の把手ケース１の内部に、この把手ケース１の先端部１ａから刃先部２ａを出没自在とした棒状カッター２が設けられ、この棒状カッター２の刃先部２ａの前方に、バネ付勢に反して前記把手ケース１の先端部から離間自在としたフック部４を有するホルダー５を備えたものとし、前記ホルダー５のフック部４は、先端部が屈曲状に形成され、その上側面４ａ又は下側面４ｂに覗き孔６を設けたものとしている。
【０００９】
そして、この発明のケーブルストリッパーは、前記覗き孔６を円形又は楕円形とし、この覗き孔６の上下に引き出した直線Ｌを、前記ホルダー５のフック部４に保持される線材Ｗと直角になるようにしている。
【００１０】
さらに、この発明のケーブルストリッパーは、前記覗き孔６を多角形とし、この覗き孔６の上下に引き出した直線Ｌを、前記ホルダー５のフック部４に保持される線材Ｗと直角になるようにしている。
【発明の効果】
【００１１】
この発明のケーブルストリッパーは、以上に述べたように構成されており、把手ケースの先端部から突出した棒状カッターの刃先部で絶縁被覆Ｂに切り込みを入れた位置が、フック部に設けられた覗き孔から使用者に見え易いものとなるので、その切り込みを見ながら把手ケースを回転させれば、ケーブルの廻りに直角にして把手ケースを回転させることができ、一回転で絶縁被覆の切り始めと切り終わりを一致させ易くなり、その結果、ケーブルや電線等の線材の絶縁被覆が剥がし易いものとなり、作業時間を短縮できるものとなる。
【図面の簡単な説明】
【００１２】
【図１】この発明のケーブルストリッパーの一実施形態を示す斜視図である。
【図２】図１に示すケーブルストリッパーの正面図である。
【図３】図１に示すケーブルストリッパーの一部断面側面図である。
【図４】図１に示すケーブルストリッパーのフック部の覗き孔の他形状を示す説明図である。
【図５】この発明のケーブルストリッパーの他の実施形態を示す斜視図である。
【図６】図５に示すケーブルストリッパーの正面図である。
【図７】図５に示すケーブルストリッパーの一部断面側面図である。
【図８】この発明のケーブルストリッパーの使用状態（第一段階）を示す説明図である。
【図９】この発明のケーブルストリッパーの使用状態（第二段階）を示す説明図である。
【図１０】この発明のケーブルストリッパーでケーブルの絶縁被膜に切り跡を付け終わった状態を示す説明図である。
【図１１】切り跡を付け終わった絶縁被膜をケーブルから剥がしている状態を示す説明図である。
【図１２】従来のケーブルストリッパーの一例を示す斜視図である。
【図１３】従来のケーブルストリッパーの一部断面側面図である。
【発明を実施するための形態】
【００１３】
以下、この発明のケーブルストリッパーを実施するための形態を、図面に基づいて詳細に説明する。
【００１４】
この発明のケーブルストリッパーは、上下に二分割体とした横長の把手ケース１の内部に、この把手ケース１の先端部１ａから刃先部２ａを出没自在とした棒状カッター２が設けられている。
【００１５】
前記棒状カッター２の刃先部２ａは、把手ケース１の後端部１ｂに設けた調節ネジ３によって、ケーブルや電線等の線材Ｗの絶縁被覆の厚さに応じた出具合に調節することができるようにしている。なお、この調節構造については、公知であるので省略する。
【００１６】
さらに、前記棒状カッター２の刃先部２ａの前方には、把手ケース１の内部に収納されたコイルスプリング（図示せず）等のバネ付勢に反して、前記把手ケース１の先端部１ａから離間自在としたフック部４を有するホルダー５を、把手ケース１にスライド自在として備えたものとしている。
【００１７】
前記ホルダー５のフック部４は、先端部が略Ｌ字形等の屈曲状に形成され、その上側面４ａ又は下側面４ｂに覗き孔６を設けたものとしている。
【００１８】
前記覗き孔６は、図１〜３、図５〜７に示したように円形又は楕円形とし、ホルダー５のフック部４の上側面４ａに設けたものとしている。そして、覗き孔６の上下に引き出した直線Ｌを、前記ホルダー５のフック部４に保持されるケーブルや電線等の線材Ｗと直角になるようにしている。
【００１９】
さらに、前記覗き孔６は、多角形などの各種の形状とし、ホルダー５のフック部４の上側面４ａに設けたものとすることができる。そして、この場合も、覗き孔６の上下に引き出した直線Ｌを、前記ホルダー５のフック部４に保持されるケーブルや電線等の線材Ｗと直角になるようにすることができる。
【００２０】
前記覗き孔６を多角形とした場合には、図４（ａ）に示したように菱形とし、ホルダー５のフック部４の上側面４ａに設けたものとしている。そして、この覗き孔６の菱形の縦方向の仮想対角線Ｄを、前記ホルダー５のフック部４に保持されるケーブルや電線等の線材Ｗと直角になるようにしている。さらに、覗き孔６には、円形又は楕円形とした場合と同様にこの覗き孔６の上下に引き出した直線Ｌを設けたものとしてもよい。
【００２１】
前記覗き孔６を多角形とした場合には、図４（ｂ）に示したように倒立させた二等辺三角形とし、ホルダー５のフック部４の上側面４ａに設けたものとしている。そして、この覗き孔６の二等辺三角形の頂点から底辺に下ろした仮想垂線Ｐを、前記ホルダー５のフック部４に保持されるケーブルや電線等の線材Ｗと直角になるようにしている。さらに、覗き孔６には、円形又は楕円形とした場合と同様にこの覗き孔６の上下に引き出した直線Ｌを設けたものとしてもよい。なお、図示した覗き孔６は、倒立させた二等辺三角形にしているが、正立させた二等辺三角形にしてもよい。
【００２２】
以上のように構成したこの発明のケーブルストリッパーを用いて、ケーブルや電線等の線材における絶縁被覆を剥離させるには、次のようにして行う。
【００２３】
先ず、この発明のケーブルストリッパーのホルダー５のフック部４を把手ケース１の先端部１ａから離間させるために、このホルダー５をバネ付勢に反する方向に指で押してスライドさせる。
【００２４】
次に、このフック部４と把手ケース１の先端部１ａとの間に、図８に示したように、ケーブルや電線等の線材Ｗを保持させる。
【００２５】
そして、前記把手ケース１を、図９に示したように、線材Ｗの廻りに回転させて、この線材Ｗの絶縁被覆Ｂに、把手ケース１の先端部１ａから突出した棒状カッター２の刃先部２ａで切り込みを入れる。この場合、前記棒状カッターの刃先部２ａで絶縁被膜Ｂに切り込みを入れた位置は、フック部４に設けられた覗き孔６から使用者に見え易いものとなるので、その切り込み位置を見ながら把手ケース１を回転させれば、線材Ｗの廻りに直角にして把手ケース２ａを回転させることができ、線材Ｗの絶縁被覆Ｂの切り始めと切り終わりを一致させ易くなる。
【００２６】
そこで、前記ケーブルストリッパーのホルダー５を再びバネ付勢に反する方向に指で押してスライドさせ、そのホルダー５のフック部４を線材Ｗから離間させ、図１０に示したように、その線材Ｗから取り外す。
【００２７】
そして最後に、前記切り込みから絶縁被覆Ｂを線材Ｗの長さ方向に引くことにより、その絶縁被覆Ｂを線材Ｗから剥がし、取り除けばよい。
【００２８】
したがって、この発明のケーブルストリッパーは、一回転させることで絶縁被覆の切り始めと切り終わりを一致させ易くなり、ケーブルや電線等の線材の絶縁被覆が剥がし易いものとなり、作業時間を短縮できるものとなる。
【符号の説明】
【００２９】
１  把手ケース
１ａ  先端部
２  棒状カッター
２ａ  刃先部
４  フック部
４ａ  上側面
４ｂ  下側面
５  ホルダー
６  覗き孔
Ｌ  直線
Ｗ  線材
【図１】
2013233041.tif 000003
【図２】
2013233041.tif 000004
【図３】
2013233041.tif 000005
【図４】
2013233041.tif 000006
【図５】
2013233041.tif 000007
【図６】
2013233041.tif 000008
【図７】
2013233041.tif 000009
【図８】
2013233041.tif 000010
【図９】
2013233041.tif 000011
【図１０】
2013233041.tif 000012
【図１１】
2013233041.tif 000013
【図１２】
2013233041.tif 000014
【図１３】
2013233041.tif 000015